(57)【要約】  エレベータ利用者の属性（所属部署、好みなど）に基づき、複数の異なる行先階で同一乗車号機が割当られた場合でも、同一割当号機の表現方法（表示図形、色など）を変更することによって、利用者にとって適切な表示を行うことのできるエレベータ割当号機案内表示装置を得ること。  割当号機案内表示装置は、利用者の属性に基づき、割当てられたエレベータ号機を表示する際に表示画面の属性を変化させて、特定の利用者向けの割当号機案内を表示するようにした。
2012131769.tif 000002
【特許請求の範囲】
【請求項１】
エレベータ乗場と離れた、ビル玄関のセキュリティゲートなどを、エレベータの利用者が通過する際に実施するセキュリティ認証行為を実施するセキュリティ認証装置と、
そのセキュリティ認証行為と連動してエレベータ利用者の行先階を登録するセキュリティ認証行為連動行先階登録手段と、
複数のエレベータで構成されたエレベータ群の運行状況を考慮し、エレベータ群全体を効率的に運行させる様に制御するエレベータ群管理制御装置と、
前記エレベータ群管理制御装置が前記利用者の登録済行先階に対して、1台のエレベータを割り当てて、利用者がセキュリティゲートを通過する際に、割り当てられたエレベータ号機をセキュリティゲートに設置された割当号機案内を表示する割当号機案内表示装置とで構成されるエレベータシステムにおいて、
前記割当号機案内表示装置は、前記利用者の属性に基づき、割り当てられたエレベータ号機を表示する際に表示画面の属性を変化させて、特定の利用者向けの割当号機案内を表示することを特徴とするエレベータ割当号機案内表示装置。
【請求項２】
前記表示画面の属性は、少なくとも、表示メッセージの言語、フォント、図形、色のいずれかを含むことを特徴とする請求項１記載の割当号機案内表示装置。
【請求項３】
前記利用者の属性は、少なくとも、所属部署、使用言語、個人的な色、図形に関する嗜好のいずれかを含むことを特徴とする請求項１記載のエレベータ割当号機案内表示装置。
【請求項４】
前記割当号機案内の表示は、システム構成要素間の通信障害、エレベータ群管理制御装置の処理能力制限により、利用者に対してエレベータ号機を割り当てることができない、または割当号機表示ができない場合、不特定多数の利用者に対して、エレベータの利用に関する明確な指示を複数言語での表示を特徴とする請求項１記載のエレベータ割当号機案内表示装置。
【請求項５】
前記エレベータ割当号機案内装置において、表示案内に加えて、音声案内も合わせて実施することを特徴とする請求項２〜４いずれかに記載のエレベータ割当号機案内表示装置。
【発明の詳細な説明】
【技術分野】
【０００１】
この発明は、セキュリティゲートに設置したエレベータ割当号機案内表示器の表示内容に関するものである。
【背景技術】
【０００２】
エレベータ号機の割当とは、複数台のエレベータを制御するエレベータ群管理システムにおいて、複数台エレベータの動的な状態を考慮し、乗客の行先階に応じて、複数エレベータの中から１台エレベータを乗客対して割り当てることである。【０００３】
従来のエレベータの乗場呼び登録装置では、複数台のエレベータを一群として制御するエレベータ群管理システムにおいて、乗場にて設ける乗客の行先階を指定する乗場行先登録手段と、この乗場行先呼び登録手段により行先階を登録した時にその行先階を割付けたエレベータの号機を表示する割付号機表示手段とを有している（例えば、特許文献１参照）。【０００４】
また、このような割当を実施する際に、エレベータ群管理装置にて用いられるアルゴリズムが示され、乗場にて設置された表示装置に利用者の行先階をサービスする号機を表示することが開示されている（例えば、特許文献２参照）。【０００５】
さらに、乗客の行先階登録は、乗場にて実施することのみならず、ビルの利用者がビル玄関にあるセキュリティゲートを通過する際に、乗客の行先階をエレベータ群管理システムに入力することで、セキュリティゲートに設置された割当号機案内表示器上で乗客の行先階に割り当てられたエレベータ号機を表示することが開示されている（例えば、特許文献３参照）。
【先行技術文献】
【特許文献】
【０００６】
【特許文献１】特開平１-２２６６８３号公報
【特許文献２】ＧＢ２，２４１，０９０
【特許文献３】特願平６-６９５８２号公報
【発明の概要】
【発明が解決しようとする課題】
【０００７】
前記従来の技術は、割当号機案内表示器の表示内容は、特許文献２に示されるように、あくまでも乗客の行先階に割り当てられたエレベータ号機の名称を表示することに留まる。このような従来の表示は、場合によってセキュリティゲートを通過する利用者を困惑させ、セキュリティゲートの通過効率を悪化させる可能性がある。【０００８】
従来のエレベータでは、利用者がセキュリティゲートを通過する際に、特許文献２に示されるように、利用者の行先階と割当号機と合わせて表示することは、利用者の行先階をほかの利用者に公開することになり、セキュリティ上で望ましくない。一方、利用者の行先階を表示せず、割当号機のみを表示することができるが、複数の利用者がセキュリティゲートを連続的に通過する際には、以下に説明するような課題がある。【０００９】
一般に、利用者がセキュリティゲートを通過する際には、認証手段などで利用者の行先階情報を取得し、エレベータ群管理システムに入力することで、利用者の行先階に割当するエレベータ号機を決定し、利用者に決定されたエレベータ号機をセキュリティゲートに設定した表示器にて表示する流れとなっている。この時、決定された割当号機を利用者がセキュリティゲートを通過している間にのみ表示するため、利用者が認識できるように、数秒の表示時間を設けることが一般的に行われている。【００１０】
しかし、複数の利用者が、連続してセキュリティゲートを通過する際に、次から次へ利用者の割当号機を表示する必要があり、そのため、新たな割当号機が決定される度に、表示内容を更新する必要がある。しかし、利用者の行先階が異なっても、複数台エレベータの動的な状況によって、同一乗車号機が割当られた場合がある。すなわち、割当号機が同一で、割当号機案内表示も同じ内容となる。その際、利用者がそれは自分に対する割当号機なのか、または前に通過した利用者に対する割当号機なのかを判断することができない。【００１１】
さらに、近年の国際化によって、システムの利用者は、複数異なる言語を利用するケースが少なくない。ゲートを通過する際に、セキュリティの観点から、一人ずつ通過するので、利用者の言語に合わせた適切な表示が要求されるが、その対応が十分とはいえない。【００１２】
また、エレベータの異常時において、乗車号機の割当ができない場合、また保守時などエレベータを利用できない場合においては、割当号機の表示ができなく、ゲートを通過する利用者は、困惑することになり、ゲートの通過効率にも影響する。このような異常時において、不特定多数の利用者向けに、エレベータの状態、エレベータの利用に関する明確な指示を複数言語で表示、アナウンスすることが要求されるが、その対応が十分とはいえない。【００１３】
この発明では、上記の課題を解決し、利用者の言語に合わせた適切な表示を行い、異常時においても不特定多数の利用者向けに、エレベータの状態、エレベータの利用に関する明確な指示を複数言語で表示アナウンスするエレベータ割当号機案内表示装置の提供を目的とする。
【課題を解決するための手段】
【００１４】
上記課題を解決するため、この発明のエレベータ割当号機案内表示装置は、エレベータ乗場と離れた、ビル玄関のセキュリティゲートなどを、エレベータの利用者が通過する際に実施するセキュリティ認証行為を実施するセキュリティ認証装置と、そのセキュリティ認証行為と連動してエレベータ利用者の行先階を登録するセキュリティ認証行為連動行先階登録手段と、複数のエレベータで構成されたエレベータ群の運行状況を考慮し、エレベータ群全体を効率的に運行させる様に制御するエレベータ群管理制御装置と、前記エレベータ群管理制御装置が前記利用者の登録済行先階に対して、1台のエレベータを割り当てて、利用者がセキュリティゲートを通過する際に、割り当てられたエレベータ号機をセキュリティゲートに設置された割当号機案内を表示する割当号機案内表示装置とで構成されるエレベータシステムにおいて、前記割当号機案内表示装置は、前記利用者の属性に基づき、割り当てられたエレベータ号機を表示する際に表示画面の属性を変化させて、特定の利用者向けの割当号機案内を表示するようにしたものである。【００１５】
また、この発明のエレベータ割当号機案内表示装置では、前記表示画面の属性は、少なくとも、表示メッセージの言語、フォント、図形、色のいずれかを含むようにしたものである。【００１６】
また、この発明のエレベータ割当号機案内表示装置では、前記利用者の属性は、少なくとも、所属部署、使用言語、個人的な色、図形に関する嗜好のいずれかを含むようにしたものである。【００１７】
また、この発明のエレベータ割当号機案内表示装置では、前記割当号機案内の表示は、システム構成要素間の通信障害、エレベータ群管理制御装置の処理能力制限により、利用者に対してエレベータ号機を割り当てることができない、または割当号機表示ができない場合、不特定多数の利用者に対して、エレベータの利用に関する明確な指示を複数言語での表示をするようにしたものである。【００１８】
さらに、この発明のエレベータ割当号機案内表示装置では、前記エレベータ割当号機案内装置において、表示案内に加えて、音声案内も合わせて実施するようにしたものである。
【発明の効果】
【００１９】
この発明によれば、エレベータ乗場と離れた、ビル玄関のセキュリティゲートなどを、エレベータの利用者が通過する際に実施するセキュリティ認証行為を実施するセキュリティ認証装置と、そのセキュリティ認証行為と連動してエレベータ利用者の行先階を登録するセキュリティ認証行為連動行先階登録手段と、複数のエレベータで構成されたエレベータ群の運行状況を考慮し、エレベータ群全体を効率的に運行させる様に制御するエレベータ群管理制御装置と、前記エレベータ群管理制御装置が前記利用者の登録済行先階に対して、1台のエレベータを割り当てて、利用者がセキュリティゲートを通過する際に、割り当てられたエレベータ号機をセキュリティゲートに設置された割当号機案内を表示する割当号機案内表示装置とで構成されるエレベータシステムにおいて、前記割当号機案内表示装置は、前記利用者の属性に基づき、割り当てられたエレベータ号機を表示する際に表示画面の属性を変化させて、特定の利用者向けの割当号機案内を表示するようにしたため、セキュリティゲートの通過効率を改善でき、また、利用者の行先階をほかの利用者に公開することとはならないため、セキュリティ向上につながる。また、割当号機が同一で、割当号機案内表示も同じ内容となる際に、利用者がそれは自分に対する割当号機なのか、または前に通過した利用者に対する割当号機なのかを判断することが可能となり、利用者の言語に合わせた適切な表示が可能となる。更に、異常時において、不特定多数の利用者向けに、エレベータの状態、エレベータの利用に関する明確な指示を複数言語で表示、アナウンスすることが可能となる。
【図面の簡単な説明】
【００２０】
【図１】この発明の実施の形態１におけるエレベータ割当号機案内表示装置の全体構成を示すブロック図である。
【図２】この発明の実施の形態２におけるエレベータ割当号機案内表示装置の全体構成を示すブロック図である。
【図３】この発明の実施の形態１におけるエレベータ割当号機案内表示装置のフローチャートである。
【図４】この発明の実施の形態１におけるエレベータ割当号機案内表示装置の表示例である。
【図５】この発明の実施の形態１におけるエレベータ割当号機案内表示装置の表示例である。
【図６】この発明の実施の形態１におけるエレベータ割当号機案内表示装置の表示例である。
【図７】この発明の実施の形態１におけるエレベータ割当号機案内表示装置の表示例である。
【図８】この発明の実施の形態１におけるエレベータ割当号機案内表示装置の表示例である。
【図９】この発明の実施の形態１におけるエレベータ割当号機案内表示装置の表示例である。
【図１０】この発明の実施の形態２におけるエレベータ割当号機案内表示装置のフローチャートである。
【図１１】この発明の実施の形態３におけるエレベータ割当号機案内表示装置のフローチャートである。
【図１２】この発明の実施の形態３におけるエレベータ割当号機案内表示装置の表示例である。
【図１３】この発明の実施の形態４におけるエレベータ割当号機案内表示装置の全体構成を示すブロック図である。
【発明を実施するための形態】
【００２１】
実施例１．
【００２２】
実施の形態１．
以下、図面を参照しながら、この発明の実施の形態１に係るエレベータ割当号機案内表示装置について詳細に説明する。
【００２３】
図１に本発明の実施の形態１における全体構成図を示す．
図において、１はエレベータの利用者に対し、セキュリティ認証を実施するセキュリティ認証装置、２は、複数のエレベータで構成されたエレベータ群の運行状況を考慮し、エレベータ群全体を効率的に運行させるように制御するエレベータ群管理制御装置、３は、前記エレベータ群管理制御装置が割当した前記利用者の登録済行先階に対するエレベータ号機を表示する割当号機案内表示装置である。
【００２４】
セキュリティ認証装置１は、利用者属性情報（ＩＤ、所属部署、使用言語、個人的な色、図形に関する嗜好など）を格納する個人属性格納部１０１、記録済の利用者属性情報を群管理制御装置２へ転送する個人属性情報転送手段１０２、認証行為を実施すると同時に、エレベータ利用者の行先階を群管理制御装置に登録するセキュリティ認証行為連動行先階登録手段１０３を備えている。
【００２５】
また、割当号機案内表示装置３は、割当号機案内の表示を行う表示部３０４と、表示部３０４の処理を制御する表示制御部３０５と、割当号機案内の表示内容データ、エレベータ群管理制御装置からの指令と関連づけした表示内容との指令・表示内容対応表を格納するデータ格納部３０６と、外部と通信する通信部３０３をこれら各部の処理を実施するマイコン３０１とメモリ３０２とを備えている。
【００２６】
次に動作について説明する。
【００２７】
セキュリティ認証装置３は、エレベータの利用者に対し、セキュリティ認証を行う。そして、予めエレベータ利用者に対する利用者毎の行先階を群管理制御装置２に対して登録する認証行為連動行先階登録手段１０３を用いて認証を実施すると同時に、エレベータ利用者の行先階を群管理制御装置２に登録する。さらに、予めセキュリティ認証装置の個人属性格納部１０１に記録済みの利用者属性情報（ＩＤ、所属部署、使用言語、個人的な色、図形に関する嗜好など）も群管理制御装置２に転送する。
【００２８】
エレベータ群管理制御装置の制御は、具体的には、セキュリティ認証行為連動行先階登録手段１０３が持つセキュリティ認証装置１から登録されたエレベータ利用者の行先階に対して、全体エレベータ群を効率的に運行させるように、複数エレベータの中から、１台のエレベータを前記エレベータ利用者に割当てる。さらに、セキュリティ認証装置１から受信した利用者の属性情報に基づき、割当した号機とその号機の案内表示方法を割当号機案内表示装置３に対して指示する。
【００２９】
割当号機案内表示装置３において、表示部３０４と表示制御部３０５では、エレベータ群管理制御装置２から受信した割当号機案内の内容を表示する。なお、表示部３０４は、液晶ディスプレイやプラズマディスプレイ、ＬＥＤ、ブラウン管などいかなる表示器であっても文字や図形が表示できる表示器であればいかなる物でも構わない。
【００３０】
通信部３０３は、割当号機案内表示装置３とエレベータ群管理制御装置２との間の通信を行う。エレベータ群管理制御装置２との通信で割当号機の表示指令（割当号機情報と表示方法）を取得する。なお、通信部３０３については、特に有線・無線の形態に問わず、情報伝達さえできればどんな通信方法でも構わない。
【００３１】
表示情報格納部３０６は、割当号機案内の表示内容データそのもの、表示指令と表示内容との対応表などを格納する。
【００３２】
マイコン３０１は、上記各部の処理を制御する。
【００３３】
メモリ３０２には、プログラム用のプログラムメモリ及び作業用の作業メモリがある。
【００３４】
なお，プログラムメモリと表示情報格納部３０６はハードディスクドライブや不揮発性メモリや随時書込み保持動作の必要なメモリなどどんな記憶装置や記憶素子でも構わないし，そのいくつかを同じ記憶装置や素子として構成しても，また、上記各メモリ３０２と表示情報格納部３０６や各種制御部や通信部も含めてマイコンに内蔵しても構わない．また、表示情報格納部３０６は、前記通信部３０３を省略した場合に、着脱可能な不発揮性ストレージを使用する。
実施の形態２．
図２に本発明の実施の形態２における全体構成図を示す．
前記図１の構成との相違のみについて説明する。
セキュリティ認証装置に記録済の利用者属性情報にある利用者を特定できる情報（個人ＩＤなど）のみを、行先階の情報とともに、エレベータ群管理制御装置２に転送する。また、案内表示に係る利用者の属性（個人ＩＤ、所属部署、使用言語、個人的な色、図形に関する嗜好など）は、群管理制御装置２ではなく、直接に割り当て号機表示装置３に転送する。
【００３５】
エレベータ群管理制御装置２は、割当した号機を割当号機案内表示装置３に対して表示するように指示する。表示指令には、利用者を特定できる情報（個人ＩＤなど）と割当された号機の情報を含む。
【００３６】
割当号機案内表示装置３の通信部３０４は、割当号機案内表示装置３とエレベータ群管理制御装置２との間の通信、さらに、割当号機案内表示装置３とセキュリティ認証装置１との間の通信を行う。
エレベータ群管理制御装置２との通信で、利用者を特定できる情報とその利用者に割当した号機の表示指令を取得する。
【００３７】
セキュリティ認証装置１との通信で、利用者に案内表示に係る利用者の属性（個人ＩＤ、所属部署、使用言語、個人的な色、図形に関する嗜好など）を取得する。
【００３８】
図３に前記図１のシステム構成における本発明の実施の形態２における本システムの各装置における処理動作のフローチャートを示す。
【００３９】
以下，図４に基づきフローを説明する。
【００４０】
背景画面等の必要な待機画面を表示し、この待機画面は、割当号機案内表示指令が無いときに表示される。
【００４１】
エレベータ群管理制御装置２との通信により、エレベータ群管理制御装置２から新規割当号機案内の表示指令の受信有無を確認する。新規割当号機案内の表示指令受信がない場合に、Ｓｔｅｐ（１）に戻るが、新規割当号機案内の表示指令受信がある場合に、Ｓｔｅｐ（３）に進む。
割当号機案内の表示指令とは、割当号機を表示する指令のことである。そのため、まず、表示指令から、割当号機情報（号機Ａ、Ｂなど）を取得し、Ｓｔｅｐ（４）に進む。
【００４２】
図１のシステム構成では、表示指令には、案内表示に係る利用者の個人属性（所属部署、使用言語、個人的な色、図形に関する嗜好など）も含まれるので、ここで、表示に係る個人毎の属性を取得し、Ｓｔｅｐ（５）に進む。
【００４３】
前記Ｓｔｅｐ（３）、Ｓｔｅｐ（４）で取得した案内表現の指令データ（号機と表現方法）に基づき、「個人案内表現要素ＤＢ」と「号機案内ＤＢ」の２つのデータベースから必要な情報を検索し、指示された案内表示を生成し、表示を行い、Ｓｔｅｐ（６）に進む。
【００４４】
割当号機案内を表示してから、３秒間経過したかどうかを判断する。３秒間経過した場合に、Ｓｔｅｐ（２）に戻るが、３秒間経過していない場合には、Ｓｔｅｐ（７)に進む。
【００４５】
再度、エレベータ群管理制御装置２との通信により、エレベータ群管理制御装置２から新たな割当号機案内の表示指令の受信有無を確認する。新たな割当号機案内の表示指令がない場合に、Ｓｔｅｐ（６）に戻るが、割当号機案内の表示指令がある場合に、Ｓｔｅｐ（８）に進む。
【００４６】
利用者に新たな割当号機案内表示であることを明確に認識させるために、一旦現在表示中の割当号機案内表示を取りやめ、その代りに黒画面を表示し、Ｓｔｅｐ（９）に進む。
【００４７】
黒画面を表示してから、０．２秒間経過したかどうかを判断する。０．２秒間経過した場合に、Ｓｔｅｐ（３）に戻るが、０．２秒間経過していない場合には、Ｓｔｅｐ（８）に戻る。
【００４８】
ちなみに、上記実施例の中に言及した表示時間（割当号機案内表示の３秒間、区切りのための黒画面０．２秒間）は、あくまでも一例であり、これ以外の表示時間でも構わない。また、既存割当号機案内表示している最中に、新たな割当号機案内表示指令が受信した場合に、エレベータ利用者に対して、新たな割当号機案内であることを明確に知らせるために、黒画面を短時間に表示することを例として説明したが、黒画面に限ることなく、新たな割当号案内であることを明確に知らせることさえできれば、黒画面の表示がなくても、または黒画面ではなく、他の区切り画面でも構わない。
実施の形態３．
図１０に前記図２のシステム構成における本発明の実施の形態３における本システムの各装置における処理動作のフローチャートを示す。
【００４９】
以下，図１０に基づきフローを説明するが、前記図３の処理フローと異なる点のみ説明する。
【００５０】
Ｓｔｅｐ（１）〜Ｓｔｅｐ（２）は前記図３の処理フローと同様である。
【００５１】
割当号機案内の表示指令とは、割当号機を表示する指令のことである。そのため、まず、表示指令から、割当号機情報（号機Ａ、Ｂなど）を取得し、Ｓｔｅｐ（４）に進む。さらに、図２のシステム構成では、利用者個人を特定できる属性（個人ＩＤなど）も割当号機案内の表示指令に含まれるので、利用者個人を特定できる属性も取得し、Ｓｔｅｐ（４）に進む。
【００５２】
図２のシステム構成では、セキュリティ認証装置との通信により、案内表示方法に関する表示指令（個人ＩＤ、所属部署、使用言語、個人的な色、図形に関する嗜好など）の受信有無を確認する。
【００５３】
案内表示方法に関する表示指令受信がある場合に、Ｓｔｅｐ（５）に進む。案内表示方法に関する表示指令受信がない場合に、予め決められた標準的な表示方法（表示言語、図形、色など）を設定し、Ｓｔｅｐ（６）に進める。
【００５４】
案内表示方法に関する表示指令には、利用者の個人属性（個人ＩＤ、所属部署、使用言語、個人的な色、図形に関する嗜好など）が含まれる。ここで、前記Ｓｔｅｐ（３）で取得した利用者を特定できる属性に基づき、その利用者の案内表示に係る属性を取得し、Ｓｔｅｐ（６）に進む。
【００５５】
Ｓｔｅｐ（６）〜Ｓｔｅｐ(１０)は、前記図２-１の処理フローと同様である。
図１１に本発明の実施の形態３における本システムの各装置における処理動作のフローチャートを示す。ただし、前記図３、または図１０の処理フローチャートのＳｔｅｐ（１）とＳｔｅｐ（３）〜Ｓｔｅｐ（７）の処理は、図１１でも同様なので、省略し、異なる処理を以下に記載する。
【００５６】
Ｓｔｅｐ（２）  エレベータ群管理制御装置２との通信により、エレベータ群管理制御装置２から新規割当号機案内の表示指令の受信有無を確認する。表示指令とは、割当号機を表示する指令のことである。新規割当号機案内の表示指令受信がない場合に、Ｓｔｅｐ（８）に進むが、新規割当号機案内の表示指令受信がある場合に、Ｓｔｅｐ（３）に進む。
【００５７】
認証セキュリティ装置と群管理制御装置との間の通信異常、また群管理制御装置の処理負荷などにより、エレベータ号機割当の実施ができない場合がある。その際に、エレベータ群管理制御装置から、割当号機案内表示装置に対して、「エレベータ号機の割当を実施できない」の連絡を送信する。エレベータ群管理制御装置との通信により、エレベータ群管理制御装置から「エレベータ号機の割当を実施できない」の連絡受信有無を確認し、そのような連絡がある場合に、Ｓｔｅｐ（１０）に進むが、そのような連絡がない場合に、Ｓｔｅｐ（９）に進む。
【００５８】
割当号機案内表示装置と群管理制御装置との間の通信異常により、同様に、エレベータ号機割当の実施ができない。割当号機案内表示装置は、群管理制御装置との通信に異常が発生と判断した場合に、Ｓｔｅｐ（１０）に進むが、通信異常がなければ、再びＳｔｅｐ（２）に戻る。
【００５９】
割当号機の表示ができないため、エレベータ利用者にセキュリティ認証装置近辺に滞留せず、不特定多数の利用者に対して、複数言語で「エレベータホールに行先階を登録してください」との注意喚起を表示したままで、再びＳｔｅｐ（８）に戻る。
実施の形態４．
図１３に本発明の実施の形態４における一実施例のシステム構成を示す。この実施例では、より効果を高めるために、割当号機案内表示装置の構成に音声案内部（音声制御部、音声案内生成部）を追加した形となる。音声案内装置は、音声制御部と音声案内部があり、認証行為が実施される際に、エレベータの利用者の属性データ（言語など）に合わせて、音声案内で割当号機を案内する。この実施例では、音声案内装置が割当号機案内表示装置内の一部となっているが、エレベータ群管理制御装置または割当号機案内表示装置と通信することで、音声案内の内容を受信することさえできれば、単独で音声案内装置を設けることも考えられる。
【符号の説明】
【００６０】
１  エレベータ群管理制御装置
２  セキュリティ認証装置
２０１  個人属性格納部
２０２  個人属性情報転送手段
２０３  セキュリティ認証行為連動行先階登録手段
３  割当動機案内表示装置
３０１  マイコン
３０２  メモリ
３０３  通信部
３０４  表示部
３０５  表示制御部
３０６  表示情報格納部
【図１】
2012131769.tif 000003
【図２】
2012131769.tif 000004
【図３】
2012131769.tif 000005
【図４】
2012131769.tif 000006
【図５】
2012131769.tif 000007
【図６】
2012131769.tif 000008
【図７】
2012131769.tif 000009
【図８】
2012131769.tif 000010
【図９】
2012131769.tif 000011
【図１０】
2012131769.tif 000012
【図１１】
2012131769.tif 000013
【図１２】
2012131769.tif 000014
【図１３】
2012131769.tif 000015
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
エレベータ乗場と離れた、ビル玄関のセキュリティゲートなどを、エレベータの利用者が通過する際に実施するセキュリティ認証行為を実施するセキュリティ認証装置と、
そのセキュリティ認証行為と連動してエレベータ利用者の行先階を登録するセキュリティ認証行為連動行先階登録手段と、
複数のエレベータで構成されたエレベータ群の運行状況を考慮し、エレベータ群全体を効率的に運行させる様に制御するエレベータ群管理制御装置と、
前記エレベータ群管理制御装置が前記利用者の登録済行先階に対して、1台のエレベータを割り当てて、利用者がセキュリティゲートを通過する際に、割り当てられたエレベータ号機をセキュリティゲートに設置された割当号機案内を表示する割当号機案内表示装置とで構成されるエレベータシステムにおいて、
前記割当号機案内表示装置は、前記利用者の属性に基づき、割り当てられたエレベータ号機を表示する際に表示画面の表示メッセージの言語、フォント、図形、色のいずれかを変化させて、特定の利用者向けの割当号機案内を表示することを特徴とするエレベータ割当号機案内表示装置。
【請求項２】
前記利用者の属性は、少なくとも、所属部署、使用言語、個人的な色、図形に関する嗜好のいずれかを含むことを特徴とする請求項１記載のエレベータ割当号機案内表示装置。
【請求項３】
前記割当号機案内の表示は、システム構成要素間の通信障害、エレベータ群管理制御装置の処理能力制限により、利用者に対してエレベータ号機を割り当てることができない、または割当号機表示ができない場合、不特定多数の利用者に対して、エレベータの利用に関する明確な指示を複数言語での表示を特徴とする請求項１記載のエレベータ割当号機案内表示装置。
【請求項４】
前記エレベータ割当号機案内装置において、表示案内に加えて、音声案内も合わせて実施することを特徴とする請求項１〜３いずれかに記載のエレベータ割当号機案内表示装置。
【手続補正２】
【補正対象書類名】明細書
【補正対象項目名】００１４
【補正方法】変更
【補正の内容】
【００１４】
上記課題を解決するため、この発明のエレベータ割当号機案内表示装置は、エレベータ乗場と離れた、ビル玄関のセキュリティゲートなどを、エレベータの利用者が通過する際に実施するセキュリティ認証行為を実施するセキュリティ認証装置と、そのセキュリティ認証行為と連動してエレベータ利用者の行先階を登録するセキュリティ認証行為連動行先階登録手段と、複数のエレベータで構成されたエレベータ群の運行状況を考慮し、エレベータ群全体を効率的に運行させる様に制御するエレベータ群管理制御装置と、前記エレベータ群管理制御装置が前記利用者の登録済行先階に対して、1台のエレベータを割り当てて、利用者がセキュリティゲートを通過する際に、割り当てられたエレベータ号機をセキュリティゲートに設置された割当号機案内を表示する割当号機案内表示装置とで構成されるエレベータシステムにおいて、
前記割当号機案内表示装置は、前記利用者の属性に基づき、割り当てられたエレベータ号機を表示する際に表示画面の表示メッセージの言語、フォント、図形、色のいずれかを変化させて、特定の利用者向けの割当号機案内を表示するようにしたものである。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
エレベータ乗場と離れた、ビル玄関のセキュリティゲートを、エレベータの利用者が通過する際に実施するセキュリティ認証行為を実施するセキュリティ認証装置と、
そのセキュリティ認証行為と連動してエレベータ利用者の行先階を登録するセキュリティ認証行為連動行先階登録手段と、
複数のエレベータで構成されたエレベータ群の運行状況を考慮し、エレベータ群全体を効率的に運行させる様に制御するエレベータ群管理制御装置と、
前記エレベータ群管理制御装置が前記利用者の登録済行先階に対して、1台のエレベータを割り当てて、利用者がセキュリティゲートを通過する際に、割り当てられたエレベータ号機をセキュリティゲートに設置された割当号機案内を表示する割当号機案内表示装置とで構成されるエレベータシステムにおいて、
前記割当号機案内表示装置は、前記利用者の属性に基づき、割り当てられたエレベータ号機を表示する際に表示画面の表示メッセージの言語、フォント、図形、色のいずれかを変化させて、特定の利用者向けの割当号機案内を表示し、
前記割当号機案内表示装置は、前記エレベータ群管理制御装置から新規割当号機案内の表示指令がない場合は所定時間割当号機案内を表示するとともに、前記エレベータ群管理制御装置から新規割当号機案内の表示指令がある場合は一旦現在表示中の割当号機案内表示を取りやめ、その代わりに新たな割当号機案内があることを示す区切り画面を前記所定時間より短い第二の所定時間表示してから前記新規割当号機案内の表示を行うことを特徴とするエレベータ割当号機案内表示装置。
【請求項２】
前記利用者の属性は、少なくとも、所属部署、使用言語、個人的な色、図形に関する嗜好のいずれかを含むことを特徴とする請求項１記載のエレベータ割当号機案内表示装置。
【請求項３】
前記割当号機案内の表示は、システム構成要素間の通信障害、エレベータ群管理制御装置の処理能力制限により、利用者に対してエレベータ号機を割り当てることができない、または割当号機表示ができない場合、不特定多数の利用者に対して、エレベータの利用に関する明確な指示を複数言語での表示を特徴とする請求項１記載のエレベータ割当号機案内表示装置。
【請求項４】
前記エレベータ割当号機案内装置において、表示案内に加えて、音声案内も合わせて実施することを特徴とする請求項１〜３いずれかに記載のエレベータ割当号機案内表示装置。
【手続補正２】
【補正対象書類名】明細書
【補正対象項目名】００１４
【補正方法】変更
【補正の内容】
【００１４】
上記課題を解決するため、この発明のエレベータ割当号機案内表示装置は、エレベータ乗場と離れた、ビル玄関のセキュリティゲートを、エレベータの利用者が通過する際に実施するセキュリティ認証行為を実施するセキュリティ認証装置と、そのセキュリティ認証行為と連動してエレベータ利用者の行先階を登録するセキュリティ認証行為連動行先階登録手段と、複数のエレベータで構成されたエレベータ群の運行状況を考慮し、エレベータ群全体を効率的に運行させる様に制御するエレベータ群管理制御装置と、前記エレベータ群管理制御装置が前記利用者の登録済行先階に対して、1台のエレベータを割り当てて、利用者がセキュリティゲートを通過する際に、割り当てられたエレベータ号機をセキュリティゲートに設置された割当号機案内を表示する割当号機案内表示装置とで構成されるエレベータシステムにおいて、
前記割当号機案内表示装置は、前記利用者の属性に基づき、割り当てられたエレベータ号機を表示する際に表示画面の表示メッセージの言語、フォント、図形、色のいずれかを変化させて、特定の利用者向けの割当号機案内を表示し、前記割当号機案内表示装置は、前記エレベータ群管理制御装置から新規割当号機案内の表示指令がない場合は所定時間割当号機案内を表示するとともに、前記エレベータ群管理制御装置から新規割当号機案内の表示指令がある場合は一旦現在表示中の割当号機案内表示を取りやめ、その代わりに新たな割当号機案内があることを示す区切り画面を前記所定時間より短い第二の所定時間表示してから前記新規割当号機案内の表示を行うようにしたものである。
【国際調査報告】
2012131769.tif 000016
2012131769.tif 000017
2012131769.tif 000018
2012131769.tif 000019